(57)【要約】【課題】  作業者が支持部をスライド移動させ、ケーブルが接続された状態のコネクタが前側板に形成された開口を通過するとき、ケーブルのうちコネクタに接続された部分と支持部の下側で手前側もしくは奥側に向けて折り曲げられた部分との間の領域が開口の縁に接触する虞があった。【解決手段】  ケーブルのうちコネクタに接続された部分と支持部の下側で手前側もしくは奥側に向けて折り曲げられた部分に対して前記退避位置から前記露光位置へと向かう方向に接触して、前記ケーブルを前記コネクタとの接続部分と前記折り曲げられた部分との間において撓ませる接触部を前記支持部に設けた。【選択図】  図１７
2020008819.tif 000002
【特許請求の範囲】
【請求項１】
装置本体に対して回転可能な感光ドラムと、
コネクタを有し、前記感光ドラムを露光するための光を発する発光素子を備える光プリントヘッドと、
前記光プリントヘッドを、前記発光素子に前記光を出射させて前記感光ドラムを露光する露光位置と、前記露光位置よりも前記感光ドラムから離れた退避位置と、に往復移動させる移動機構と、
前記移動機構を支持する支持部であって、前記退避位置に位置する前記光プリントヘッドを、前記光プリントヘッドが前記装置本体に装着された装着位置と、前記装置本体の手前側において前記装置本体の筐体の一部をなす前側板に形成された開口よりも前記コネクタが手前側に位置するように前記装置本体から引き出された引き出し位置と、に前記開口を介して前記感光ドラムの回転軸線方向にスライド移動する前記支持部と、
前記コネクタに接続され、前記発光素子を駆動するための駆動信号を前記光プリントヘッドに供給するケーブルであって、前記コネクタから前記感光ドラムが配置されている側とは反対側に向けて延び、前記支持部に対して前記感光ドラムが配置されている側とは反対側において前記スライド移動する方向における前記支持部の一方側もしくは他方側に向けて折り曲げられた前記ケーブルと、
前記支持部に設けられ、前記折り曲げられた部分に対して前記退避位置から前記露光位置へと向かう方向に当接して前記ケーブルを前記コネクタとの接続部分と前記折り曲げられた部分との間において撓ませる当接部と、を備えることを特徴とする画像形成装置。
【請求項２】
前記ケーブルは、フレキシブルフラットケーブルであることを特徴とする請求項１に記載の画像形成装置。
【請求項３】
前記ケーブルのうち前記コネクタとの接続部分と前記折り曲げられた部分との間は、前記光プリントヘッドが前記退避位置に位置するときに前記コネクタと前記当接部とに前記往復移動する方向に挟まれることによって前記往復移動の方向に撓むことを特徴とする請求項２に記載の画像形成装置。
【請求項４】
前記装置本体の奥側において前記装置本体の筐体の一部をなす後側板を備え、
前記支持部が前記装着位置に位置するとき、前記スライド移動する方向における前記支持部の一端側は前記前側板に対して固定され且つ前記スライド移動する方向における前記支持部の他端側は前記後側板に対して固定されており、
前記前側板には前記装着位置と前記引き出し位置とを移動する前記支持部と前記光プリントヘッドとが通る開口が形成されていることを特徴とする請求項１から請求項３のいずれか１項に記載の画像形成装置。
【請求項５】
前記支持部のうち前記コネクタに対向する部分には開口が形成されており、前記ケーブルは当該開口を通り前記コネクタに接続されていることを特徴とする請求項１から請求項４のいずれか１項に記載の画像形成装置。
【請求項６】
前記支持部に形成された開口は前記コネクタと前記当接部との間に位置し、前記コネクタから前記開口を通り前記当接部に向けて延びる前記ケーブルは、前記開口よりも前記当接部が配置されている側において前記スライド移動する方向における前記支持部の一方側もしくは他方側に向けて折り曲げられていることを特徴とする請求項５に記載の画像形成装置。
【請求項７】
前記支持部に形成された開口は、前記支持部の前記光プリントヘッドが配置されている側とは反対側の面である底面部に形成されており、
前記底面部のうち前記スライド移動する方向に対して垂直な垂直方向において前記支持部に形成された開口よりも一方側からは前記底面部に対して前記光プリントヘッドが配置されている側とは反対方向に向けて第１壁部が突出して形成され、且つ、前記底面部のうち前記垂直方向において前記支持部に形成された開口よりも他方側からは前記底面部に対して前記光プリントヘッドが配置されている側とは反対方向に向けて第２壁部が突出して形成され、
前記当接部は前記第１壁部と前記第２壁部との間に配置されるように前記第１壁部もしくは前記第２壁部に形成されていることを特徴とする請求項５または請求項６に記載の画像形成装置。
【請求項８】
前記支持部に形成された開口は、前記支持部の前記光プリントヘッドが配置されている側とは反対側の面である底面部に形成されており、
前記底面部のうち前記スライド移動する方向に対して垂直な垂直方向において前記支持部に形成された開口よりも一方側からは前記底面部に対して前記光プリントヘッドが配置されている側とは反対方向に向けて第１壁部が突出して形成され、且つ、前記底面部のうち前記スライド移動する方向に対して垂直な垂直方向において前記支持部に形成された開口よりも他方側からは前記底面部に対して前記光プリントヘッドが配置されている側とは反対方向に向けて第２壁部が突出して形成され、
前記当接部は、前記第１壁部と前記第２壁部とを連結するように一端側が前記第１壁部に設けられ且つ他端側が前記第２壁部に設けられていることを特徴とする請求項５または請求項６に記載の画像形成装置。
【請求項９】
前記装置本体に固定され、前記支持部を支持し且つ前記支持部の前記装着位置と前記引き出し位置とへのスライド移動を案内する案内部と、
前記案内部に設けられ、前記ケーブルの一部が前記スライド移動する方向へ移動することを規制するために当該ケーブルの一部を保持する保持部と、を備えることを特徴とする請求項４から請求項８のいずれか１項に記載の画像形成装置。
【請求項１０】
前記スライド移動する方向における前記案内部の一端側は前記前側板に固定され、且つ、前記スライド移動する方向における前記案内部の他端側は前記後側板に固定されていることを特徴とする請求項９に記載の画像形成装置。
【請求項１１】
前記保持部は前記ケーブルの一部を鉛直方向もしくは前記スライド移動する方向に挟んで保持することで、前記ケーブルの一部が前記スライド移動する方向へ移動することを規制することを特徴とする請求項９または請求項１０に記載の画像形成装置。
【請求項１２】
前記支持部が前記装着位置に位置するときの前記保持部から前記コネクタまでの前記ケーブルの長さは、
前記支持部が前記装着位置に位置するときの前記前側板に形成された開口から前記コネクタまでの距離よりも長いことを特徴とする請求項９から請求項１１のいずれか１項に記載の画像形成装置。
【請求項１３】
前記保持部から前記コネクタまでの前記ケーブルの長さは、前記保持部と前記前側板に形成された開口とを前記ケーブルで撓みなくつないだ場合の当該ケーブルの長さより長いことを特徴とする請求項９から請求項１２のいずれか１項に記載の画像形成装置。
【請求項１４】
前記移動機構は、
前記スライド移動する方向へ移動可能な移動部材と、
一端側が前記移動部材に回動可能に接続され第１接続部を形成し、他端側が前記光プリントヘッドに回動可能に接続された第１リンク部と、
一端側が前記移動部材に回動可能に接続され第２接続部を形成し、他端側が前記光プリントヘッドに回動可能に接続された第２リンク部と、
前記移動部材が前記スライド移動する方向に移動することに連動して、前記第１リンク部が前記第１接続部を回動軸として回動し且つ前記第２リンク部が前記第２接続部を回動軸として回動し、前記第１リンク部と前記光プリントヘッドとの接続部分と前記第２リンク部と前記光プリントヘッドとの接続部分とが前記感光ドラムに向かって移動するように、前記第１接続部と前記第１リンク部が前記光プリントヘッドに接続されている部分との間において前記第１リンク部に回動可能に接続され且つ前記装置本体に対して回動可能に接続された第３リンク部と、を備えることを特徴とする請求項１から請求項１３のいずれか１項に記載の画像形成装置。
【請求項１５】
前記第３リンク部の一端側は前記装置本体と接続され第３接続部を形成し、前記第３リンク部の他端側は前記第１リンク部と接続され第４接続部を形成し、
前記第３接続部と前記第４接続部とを結ぶ方向における前記第３リンク部の長さは、前記第１接続部と前記第１リンク部が前記光プリントヘッドに接続された部分とを結ぶ方向における前記第１リンク部の長さよりも短いことを特徴とする請求項１４に記載の画像形成装置。
【請求項１６】
前記第１接続部の回動中心と前記第４接続部の回動中心との距離と、前記第１リンク部の前記光プリントヘッドに対する回動中心と前記第４接続部の回動中心との距離と、前記第３接続部の回動中心と前記第４接続部の回動中心との距離と、は全て等しいことを特徴とする請求項１５に記載の画像形成装置。
【発明の詳細な説明】
【技術分野】
【０００１】
本発明は、装置本体に対して挿抜することで着脱可能な光プリントヘッドを備える画像形成装置に関する。
【背景技術】
【０００２】
プリンタや複写機等の画像形成装置の中には、感光ドラムを露光するための複数の発光素子を備える光プリントヘッドを有するものがある。光プリントヘッドには、発光素子の例としてＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）等を用いるものがあり、これらの発光素子が感光ドラムの回転軸線方向に沿って、例えば１列や千鳥状の２列に複数配列されたものが知られている。また、光プリントヘッドは、複数の発光素子から出射される光を感光ドラムに集光させるための複数のレンズを備える。複数のレンズは、複数の発光素子と感光ドラムとの間において、発光素子の配列方向に沿うように感光ドラム表面に対向して配置される。
【０００３】
ところで、光プリントヘッドに設けられた複数の発光素子は、画像形成装置に設けられた制御部からの駆動信号に応じて発光する。制御部からの駆動信号はケーブルを介して光プリントヘッドに伝えられる。特許文献１には、制御部からＬＥＤ等の発光素子を備える露光部へと電力を供給するために、フレキシブルフラットケーブル（ＦＦＣ）を用いることが記載されている。
【０００４】
また、特許文献１は、露光部を有する支持バー（支持部）を画像形成装置へ取り付ける方法および画像形成装置から取り外す方法について開示している。
【０００５】
特許文献１の露光部は、例えば板金により形成された支持バーによって支持されている。支持バー（支持部）が装置本体に取り付けられた状態のとき、支持バー（支持部）が支持板によって支持されている。支持板は装置本体に対して固定されている。また、装置本体には、露光部の駆動を制御する制御基板が設けられている。制御基板と露光部とはケーブルによって電気的に接続されている。ケーブルの一部は支持板に留められており、支持バー（支持部）が移動する方向へ向けて移動することを制限されている。
【０００６】
特許文献１は、支持バー（支持部）が装置本体に収容された状態において、ケーブルが、支持バー（支持部）と支持板との間で装置本体の奥側から手前側へと向けて（あるいは手前側から奥側へと向けて）Ｕ字形状に撓んで湾曲部を形成している。作業者は、露光部をメンテナンスのために交換する際、前側板に形成された開口を介して、装着位置に位置する支持バー（支持部）をケーブルの撓み領域の撓み量の分だけ手前側に向けて引き出す。そして、作業者は前側板よりも奥側で露光部に設けられたコネクタからケーブルを取り外す。その後、作業者は支持バー（支持部）を手前側に向けて引き出し、新しい露光部と交換するなどして、露光部のメンテナンスを行う。
【０００７】
また、感光ドラムは消耗品であるため定期的に交換される。作業者は、感光ドラムを有するドラムユニットを交換することで、画像形成装置のメンテナンスを行う。ドラムユニットは、画像形成装置本体の側面から装置本体に対するスライド移動により抜き差しされる。感光ドラムを露光する際の光プリントヘッドの位置である露光位置（ドラム表面に接近して対向する位置）において、レンズと感光ドラム表面との間隔は非常に狭い。よって、ドラムユニットの交換時には光プリントヘッドを露光位置から退避させないと光プリントヘッドと感光ドラム等が接触し、感光ドラム表面およびレンズが傷ついてしまう可能性がある。そこで画像形成装置は、光プリントヘッドを、露光位置と露光位置よりも感光ドラムから退避した退避位置との間に往復移動させる機構を設ける必要がある。
【０００８】
特許文献２は、光プリントヘッドを露光位置と退避位置との間で移動させる移動機構を開示している。特許文献２によると装置本体のフロントカバーの開閉動作に連動してスライド部材が装置本体に対してスライド移動する。そして、スライド部材のスライド移動に伴い、光プリントヘッドが露光位置と退避位置とに移動する。すなわち、作業者がフロントカバーを開閉することに応じて、光プリントヘッドが露光位置と退避位置とに移動する。
【先行技術文献】
【特許文献】
【０００９】
【特許文献１】特開２０１５−２０５４９７号公報
【特許文献２】特開２０１３−１３４３７０号公報
【発明の概要】
【発明が解決しようとする課題】
【００１０】
特許文献１の露光部が、特許文献２のように露光位置と退避位置とに移動する構成の場合、この移動に伴って、ケーブルのうちコネクタに接続された部分と支持バー（支持部）の下側で手前側に向けて折り曲げられた部分との間の領域も移動する。露光部が退避位置に位置する状態のとき、前記領域のうち支持バー（支持部）に形成された開口から鉛直方向下向きに露出する量が、露光部が露光位置に位置する場合に比べて増加する。そのため、作業者が支持バー（支持部）をスライド移動させ、ケーブルが接続された状態のコネクタが前側板に形成された開口を通過するとき、前記領域が前側板の開口の縁に接触する可能性が高くなってしまう。
【課題を解決するための手段】
【００１１】
上記目的を達成するため、本発明は、装置本体に対して回転可能な感光ドラムと、コネクタを有し、前記感光ドラムを露光するための光を発する発光素子を備える光プリントヘッドと、前記光プリントヘッドを、前記発光素子に前記光を出射させて前記感光ドラムを露光する露光位置と、前記露光位置よりも前記感光ドラムから離れた退避位置と、に往復移動させる移動機構と、前記移動機構を支持する支持部であって、前記退避位置に位置する前記光プリントヘッドを、前記光プリントヘッドが前記装置本体に装着された装着位置と、前記装置本体の手前側において前記装置本体の筐体の一部をなす前側板に形成された開口よりも前記コネクタが手前側に位置するように前記装置本体から引き出された引き出し位置と、に前記開口を介して前記感光ドラムの回転軸線方向にスライド移動する前記支持部と、前記コネクタに接続され、前記発光素子を駆動するための駆動信号を前記光プリントヘッドに供給するケーブルであって、前記コネクタから前記感光ドラムが配置されている側とは反対側に向けて延び、前記支持部に対して前記感光ドラムが配置されている側とは反対側において前記スライド移動する方向における前記支持部の一方側もしくは他方側に向けて折り曲げられた前記ケーブルと、前記支持部に設けられ、前記折り曲げられた部分に対して前記退避位置から前記露光位置へと向かう方向に当接して前記ケーブルを前記コネクタとの接続部分と前記折り曲げられた部分との間において撓ませる当接部と、を備えることを特徴とする。
【発明の効果】
【００１２】
本発明によれば、作業者が支持バー（支持部）をスライド移動させ、ケーブルが接続された状態のコネクタが前側板に形成された開口を通過するとき、ケーブルのうちコネクタに接続された部分と支持バー（支持部）の下側で手前側もしくは奥側に向けて折り曲げられた部分との間の領域が開口の縁に接触する可能性を低減できる。
【図面の簡単な説明】
【００１３】
【図１】画像形成装置の構成を説明するための図
【図２】画像形成装置が備えるドラムユニット周辺および現像ユニット周辺を示す図
【図３】光プリントヘッドの構成を説明するための図
【図４】基板およびレンズアレイについて説明するための図
【図５】移動機構および第１支持部材について説明するための図
【図６】移動機構が備えるリンク機構について説明するための図
【図７】変形例の移動機構の構成について説明するための図
【図８】変形例の移動機構の動作について説明するための図
【図９】他の変形例の移動機構について説明するための図
【図１０】カム機構を用いた移動機構について説明するための図
【図１１】第１支持部材に形成された開口について説明するための図
【図１２】第１支持部材および第２支持部材について説明するための図
【図１３】装着位置に位置する第１支持部材を説明するための図
【図１４】装着位置から引き出し位置に向けて移動中の第１支持部材を説明するための図
【図１５】引き出し位置に位置する第１支持部材を説明するための図
【図１６】第１支持部材に設けられたケーブルガイド部材を説明するための図
【図１７】光プリントヘッドの移動に伴うケーブルの状態について説明するための図
【図１８】ケーブルについて説明するための図
【図１９】実施例２のケーブルガイド部材を説明するための図
【図２０】変形例のケーブルガイド部材を説明するための図
【発明を実施するための形態】
【００１４】
以下に本発明を実施するにあたり好ましい実施の形態を、添付の図面を用いて説明する。ただし、本説明に記載されている構成要素はあくまでも例示であり、本発明を本説明に記載した実施の形態だけに限るものではない。
【００１５】
《実施例１》
（画像形成装置）
まず、画像形成装置１の概略構成を説明する。図１（ａ）は画像形成装置１の概略断面図である。図１（ａ）に示す画像形成装置１は読取装置を備えていないカラープリンタ（ＳＦＰ：Ｓｉｎｇｌ  Ｆｕｎｃｔｉｏｎ  Ｐｒｉｎｔｅｒ）であるが、実施の形態は読取装置を備える複写機であってもよい。また、実施の形態は、図１（ａ）に示すような複数の感光ドラム１０３を備えるカラー画像形成装置に限られず、１つの感光ドラム１０３を備えるカラー画像形成装置やモノクロ画像を形成する画像形成装置でも良い。
【００１６】
図１（ａ）に示す画像形成装置１は、イエロー、マゼンタ、シアン、ブラックの各色のトナー像を形成する４基の画像形成部１０２Ｙ、１０２Ｍ、１０２Ｃ、１０２Ｋ（以下、総称して単に「画像形成部１０２」とも称する）を備える。また、画像形成部１０２Ｙ、１０２Ｍ、１０２Ｃ、１０２Ｋは、それぞれ感光ドラム１０３Ｙ、１０３Ｍ、１０３Ｃ、１０３Ｋ（以下、総称して単に「感光ドラム１０３」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋをそれぞれ帯電させる帯電器１０４Ｙ、１０４Ｍ、１０４Ｃ、１０４Ｋ（以下、総称して単に「帯電器１０４」とも称する）を備える。また、画像形成部１０２Ｙ、１０２Ｍ、１０２Ｃ、１０２Ｋは、感光ドラム１０３Ｙ、１０３Ｍ、１０３Ｃ、１０３Ｋを露光する光を出射する露光光源としてのＬＥＤ（Ｌｉｇｈｔ  Ｅｍｉｔｔｉｎｇ  Ｄｉｏｄｅ、以下ＬＥＤと記載）露光ユニット５００Ｙ、５００Ｍ、５００Ｃ、５００Ｋ（以下、総称して単に「露光ユニット５００」とも称する）を備える。さらに、画像形成部１０２Ｙ、１０２Ｍ、１０２Ｃ、１０２Ｋは、感光ドラム１０３上の静電潜像をトナーによって現像し、感光ドラム１０３上に各色のトナー像を現像する現像器１０６Ｙ、１０６Ｍ、１０６Ｃ、１０６Ｋ（以下、総称して単に「現像器１０６」とも称する）を備える。なお、符号に付されたＹ、Ｍ、Ｃ、Ｋはトナーの色を示している。
【００１７】
図１（ａ）に示す画像形成装置１は感光ドラム１０３を下方から露光する、いわゆる「下面露光方式」を採用する画像形成装置である。以下、下面露光方式を採用する画像形成装置を前提として説明を進めるが、実施の形態としては図１（ｂ）に示す画像形成装置２のような感光ドラム１０３を上方から露光する「上面露光方式」を採用する画像形成装置でも構わない。図１（ｂ）中において図１（ａ）と同じ構成を示す箇所には同符合を示す。
【００１８】
画像形成装置１は、感光ドラム１０３に形成されたトナー像が転写される中間転写ベルト１０７と、感光ドラム１０３に形成されたトナー像を当該中間転写ベルトに順次転写させる一次転写ローラ１０８（Ｙ、Ｍ、Ｃ、Ｋ）を備える。また、画像形成装置１は、中間転写ベルト１０７上のトナー像を給紙部１０１から搬送されてきた記録紙Ｐに転写させる二次転写ローラ１０９と、二次転写された画像を記録紙Ｐに定着させる定着器１００を備える。
【００１９】
（画像形成プロセス）
露光ユニット５００Ｙは帯電器１０４Ｙによって帯電された感光ドラム１０３Ｙの表面を露光する。これにより、感光ドラム１０３Ｙには静電潜像が形成される。次に、現像器１０６Ｙは感光ドラム１０３Ｙに形成された静電潜像をイエローのトナーによって現像する。感光ドラム１０３Ｙの表面に現像されたイエローのトナー像は、一次転写ローラ１０８Ｙによって中間転写ベルト１０７上に転写される。マゼンタ、シアン、ブラックのトナー像も同様の画像形成プロセスで中間転写ベルト１０７に転写される。
【００２０】
中間転写ベルト１０７上に転写された各色のトナー像は、中間転写ベルト１０７によって二次転写部Ｔ２まで搬送される。二次転写部Ｔ２に配置された二次転写ローラ１０９にはトナー像を記録紙Ｐに転写するための転写バイアスが印加されている。二次転写部Ｔ２まで搬送されたトナー像は、二次転写ローラ１０９の転写バイアスによって、給紙部１０１から搬送されてきた記録紙Ｐに転写される。トナー像が転写された記録紙Ｐは定着器１００に搬送される。定着器１００は、熱と圧力によって記録紙Ｐにトナー像を定着させる。定着器１００によって定着処理がなされた記録紙Ｐは、排紙部１１１に排出される。
【００２１】
（ドラムユニットおよび現像ユニット）
画像形成装置１には、感光ドラム１０３を備えるドラムユニット５１８Ｙ、５１８Ｍ、５１８Ｃ、５１８Ｋ（以下、総称して単に「ドラムユニット５１８」とも称する）が取り付けられる。ドラムユニット５１８は、ユーザやメンテナンス者等の作業者によって交換されるカートリッジである。ドラムユニット５１８は感光ドラム１０３を回転可能に支持している。具体的には、感光ドラム１０３は、ドラムユニット５１８の枠体によって回転可能に支持されている。なお、ドラムユニット５１８は帯電器１０４やクリーニング装置を備えていない構成でも構わない。
【００２２】
また、本実施例の画像形成装置１にはドラムユニット５１８とは別体の現像ユニット６４１Ｙ、６４１Ｍ、６４１Ｃ、６４１Ｋ（以下、総称して単に「現像ユニット６４１」とも称する）が取り付けられている。本実施例の現像ユニット６４１は、図１（ａ）に示す現像器１０６とトナー収容部とが一体化されたカートリッジである。現像器１０６は、現像剤を担持する現像スリーブ（不図示）を備える。現像ユニット６４１にはトナーとキャリアを攪拌するためのスクリュを回転させるためのギアが複数設けられている。これらのギアが経年劣化等した際には、作業者が現像ユニット６４１を画像形成装置１の装置本体から取り外して交換する。なお、ドラムユニット５１８および現像ユニット６４１の実施の形態は、上記ドラムユニット５１８と現像ユニット６４１が一体化されたプロセスカートリッジでも構わない。
【００２３】
図２（ａ）は、画像形成装置１が備えるドラムユニット５１８周辺および現像ユニット６４１周辺の概略構造を示す斜視図である。また、図２（ｂ）はドラムユニット５１８が装置本体の外側から画像形成装置１に挿入されている様子を示す図である。
【００２４】
図２（ａ）に示すように画像形成装置１は、板金で形成される前側板６４２と、同じく板金で形成される後側板６４３を備える。前側板６４２は画像形成装置１の手前側に設けられた側壁である。前側板６４２は画像形成装置１本体の手前側において装置本体の筐体の一部を成す。後側板６４３は画像形成装置１の後ろ側に設けられた側壁である。後側板６４３は画像形成装置１本体の奥側において装置本体の筐体の一部を成す。図２（ａ）に示すように、前側板６４２と後側板６４３は対面して配置され、両者の間には梁としての不図示の板金が橋架されている。前側板６４２と後側板６４３と不図示の梁とはそれぞれ画像形成装置１の枠体の一部を構成する。
【００２５】
ここで、本実施例の画像形成装置１若しくはその構成部材に関して、正面側若しくは手前側とは、ドラムユニット５１８を装置本体に対して出し入れ（挿抜）する側である。また、ユーザが画像形成装置１を操作するときに画像形成装置に対して立つ側のことである。背面側若しくは奥側とはその反対側である。
【００２６】
画像形成装置１の手前側からドラムユニット５１８、および現像ユニット６４１を挿抜できるように、前側板６４２には開口が形成されている。ドラムユニット５１８、および現像ユニット６４１は、開口を介して画像形成装置１本体の所定の位置に装着される（装着位置）。また、画像形成装置１は、装着位置に装着されたドラムユニット５１８と現像ユニット６４１の双方の手前側を覆うカバー５５８Ｙ、５５８Ｍ、５５８Ｃ、５５８Ｋ（以下、総称して単に「カバー５５８」とも称する）を備える。カバー５５８は、一端がヒンジによって画像形成装置１本体に固定されており、ヒンジによって画像形成装置１本体に対して回動可能となっている。作業者がカバー５５８を開いて本体内のドラムユニット５１８あるいは現像ユニット６４１を取り出し、新しいドラムユニット５１８あるいは現像ユニット６４１を挿入してカバー５５８を閉じることによって交換作業が完了する。
【００２７】
ここで、図２（ａ）および図２（ｂ）に示すように、以下の説明では装置本体に対して前側板６４２側を前側（手前側若しくは正面側）、後側板６４３側を後側（奥側若しくは背面側）と定義する。また、ブラックのトナー像に関する静電潜像が形成される感光ドラム１０３Ｋを基準としたとき、イエローのトナー像に関する静電潜像が形成される感光ドラム１０３Ｙが配置されている側を右側と定義する。イエローのトナー像に関する静電潜像が形成される感光ドラム１０３Ｙを基準としたとき、ブラックのトナー像に関する静電潜像が形成される感光ドラム１０３Ｋが配置されている側を左側と定義する。さらに、ここで定義した前後方向および左右方向に垂直な方向であって鉛直方向上向きを上方向、また、ここで定義した前後方向および左右方向に垂直な方向であって鉛直方向下向きを下方向と定義する。定義した前方向、後方向、右方向、左方向、上方向、下方向を図２に示す。また、以下の本文で記載する感光ドラム１０３の回転軸線方向とは、図２に示す前後方向と略一致する方向である。
【００２８】
（露光ユニット）
次に、光プリントヘッド１０５を含む露光ユニット５００について説明する。ここで、電子写真方式の画像形成装置に採用される露光方式の一例として、半導体レーザの照射ビームを回転するポリゴンミラーなどで走査しｆ−θレンズ等を介して感光ドラムを露光するレーザビーム走査露光方式がある。本実施例で説明する「光プリントヘッド１０５」は、感光ドラム１０３の回転軸線方向に沿って配列されたＬＥＤ等の発光素子を用いて感光ドラム１０３を露光するＬＥＤ露光方式に用いられるものであって、上記に言うレーザビーム走査露光方式には用いられない。
【００２９】
本実施例で説明する露光ユニット５００は、感光ドラム１０３の回転軸線よりも鉛直方向下側に設けられており、光プリントヘッド１０５が有するＬＥＤ５０３が感光ドラム１０３を下方から露光する。ただし、露光ユニット５００が感光ドラム１０３の回転軸線よりも鉛直方向上側に設けられ、感光ドラム１０３を上方から露光する構成でも構わない（図１（ｂ）参照）。図３は、本実施例の画像形成装置１が備える露光ユニット５００の概略斜視図である。
【００３０】
図３より、露光ユニット５００は、光プリントヘッド１０５と移動機構６４０とを備える。光プリントヘッド１０５は、レンズアレイ５０６と、基板５０２（図３では不図示）と、保持体５０５と、第１当接ピン５１４と、第２当接ピン５１５とを備える。
【００３１】
第１当接ピン５１４と第２当接ピン５１５とがドラムユニット５１８に突き当たることでレンズアレイ５０６と感光ドラム１０３との間に間隙が形成され、画像形成時における感光ドラム１０３に対する光プリントヘッド１０５の位置が決まる。移動機構６４０は、第１リンク機構８６１と、第２リンク機構８６２と、スライド部５２５（移動部材の一例）とを備える。第１リンク機構８６１はリンク部材６５１とリンク部材６５３とを備える。第２リンク機構８６２はリンク部材６５２とリンク部材６５４とを備える。不図示のカバー５５８の開閉動作に伴いスライド部５２５が前後方向にスライド移動する。スライド部５２５のスライド移動に連動して第１リンク機構８６１と第２リンク機構８６２とが駆動し、光プリントヘッド１０５が上下に移動する。移動機構６４０の詳しい動作については後述する。ドラムユニット５１８の枠体のうち当接ピン５１４（及び当接ピン５１５）が突き当たる部分には、例えばこれら当接ピン５１４（及び当接ピン５１５）の先端が５ｍｍ程度嵌まる嵌合孔が設けられている。これにより、光プリントヘッド１０５は感光ドラム１０３に対して正確に位置決めされる。
【００３２】
次に光プリントヘッド１０５の構造を説明するにあたり、保持体５０５について説明する。保持体５０５は、後述する基板５０２とレンズアレイ５０６を保持するホルダーである。本実施例においては、光プリントヘッド１０５自体の軽量化やコスト低減の観点から、保持体５０５の材質に樹脂を採用しているが、金属製でも構わない。
【００３３】
露光ユニット５００は感光ドラム１０３の回転軸線よりも鉛直方向下側に設けられており、光プリントヘッド１０５が有するＬＥＤ５０３が感光ドラム１０３を下方から露光する。なお、露光ユニット５００は感光ドラム１０３の回転軸線よりも鉛直方向上側に設けられ、光プリントヘッド１０５が有するＬＥＤ５０３が感光ドラム１０３を上方から露光する構成でも構わない。
【００３４】
次に、保持体５０５に保持される基板５０２について説明する。図４（ａ）は基板５０２の概略斜視図である。図４（ｂ１）は基板５０２に設けられた複数のＬＥＤ５０３の配列を示す。図４（ｂ２）は、図４（ｂ１）の拡大図である。
【００３５】
基板５０２にはＬＥＤチップ６３９が実装されている。図４（ａ）に示すように、基板５０２の一方の面にはＬＥＤチップ６３９が設けられ、他方の面にはコネクタ５０４が設けられている。基板５０２には各ＬＥＤチップ６３９に信号を供給するための配線が設けられている。コネクタ５０４には、不図示のフレクシブルフラットケーブル（ＦＦＣ）の一端が接続される。画像形成装置１本体には基板が設けられている。基板は制御部とコネクタとを備える。ＦＦＣの他端は、このコネクタに接続されている。基板５０２には、画像形成装置１本体の制御部からＦＦＣおよびコネクタ５０４を介して制御信号が入力される。ＬＥＤチップ６３９は、基板５０２に入力された制御信号によって駆動される。
【００３６】
基板５０２に実装されるＬＥＤチップ６３９についてさらに詳しく説明する。図４（ｂ１）および（ｂ２）に示すように、基板５０２の一方の面には複数のＬＥＤチップ６３９−１〜６３９−２９（２９個）が配列されている。各ＬＥＤチップ６３９−１〜６３９−２９には、発光素子の一例であるＬＥＤが、ＬＥＤチップの長手方向に沿って複数個一列に並べられている。各ＬＥＤチップ６３９−１〜６３９−２９はそれぞれ５１６個のＬＥＤを備える。ＬＥＤチップ６３９の長手方向において隣り合うＬＥＤの中心間距離ｋ２は画像形成装置１の解像度に対応している。本実施例の画像形成装置１の解像度は１２００ｄｐｉであるので、ＬＥＤチップ６３９−１〜６３９−２９ＬＥＤチップ６３９の長手方向において、ＬＥＤは隣接するＬＥＤの中心間距離が２１．１６μｍとなるように一列に配列されている。そのため、本実施例の光プリントヘッド１０５の露光範囲は約３１６ｍｍとなる。感光ドラム１０３の感光層は３１６ｍｍ以上の幅で形成されている。Ａ４サイズの記録紙の長辺の長さおよびＡ３サイズの記録紙の短辺の長さは２９７ｍｍであるため、本実施例の光プリントヘッド１０５は、Ａ４サイズの記録紙およびＡ３サイズの記録紙に画像形成可能な露光範囲を有している。
【００３７】
ＬＥＤチップ６３９−１から６３９−２９は、感光ドラム１０３の回転軸線方向に沿って二列となるよう交互に配置されている。すなわち、図４（ｂ１）に示すように、左側から数えて奇数番目のＬＥＤチップ６３９−１、６３９−３、・・・６３９−２９が基板５０２の長手方向に一列に実装され、偶数番目のＬＥＤチップ６３９−２、６３９−４、・・・６３９−２８が基板５０２の長手方向に一列に実装されている。ＬＥＤチップ６３９をこのように配置することで、図４（ｂ２）に示すように、ＬＥＤチップ６３９の長手方向において、隣り合う異なるＬＥＤチップ６３９における一方のＬＥＤチップ６３９の一端と他方のＬＥＤチップ６３９の他端とに配置されたＬＥＤの中心間距離ｋ１を一つのＬＥＤチップ６３９上における隣り合うＬＥＤの中心間距離ｋ２と等しくすることができる。
【００３８】
なお、本実施例では露光光源にＬＥＤを用いる構成を例示するが、露光光源として有機ＥＬ（Ｏｒｇａｎｉｃ  Ｅｌｅｃｔｒｏ  Ｌｕｍｉｎｅｓｃｅｎｃｅ）を用いても良い。
【００３９】
次に、レンズアレイ５０６について説明する。図４（ｃ１）はレンズアレイ５０６を感光ドラム１０３側から見た時の概略図である。また、図４（ｃ２）はレンズアレイ５０６の概略斜視図である。図４（ｃ１）に示すように、これら複数のレンズは複数のＬＥＤ５０３の配列方向に沿って二列に並べられている。各レンズは、一方の列のレンズの配列方向において隣り合うレンズの両方に接するように他方の列のレンズの一つが配置されるよう交互に配置されている。各レンズは、円柱状の硝子製のロッドレンズである。なお、レンズの材質は硝子製に限らず、プラスチック製でも構わない。レンズの形状についても円柱状に限らず、例えば六角柱等の多角柱でも構わない。
【００４０】
図４（ｃ２）に示す点線Ｚはレンズの光軸を示す。光プリントヘッド１０５は前述の移動機構６４０によって当該点線Ｚで示すレンズの光軸に概ね沿った方向に移動させられる。ここで言うレンズの光軸とは、レンズの光出射面の中心と当該レンズの焦点とを結ぶ線を意味する。図４に示すように、ＬＥＤから出射された放射光はレンズアレイ５０６に含まれるレンズに入射する。レンズは入射した放射光を感光ドラム１０３の表面上に集光させる機能を有する。レンズアレイ５０６は、ＬＥＤの発光面とレンズの光入射面との距離と、レンズの光出射面と感光ドラム１０３の表面との距離と、が略等しくなるように光プリントヘッド１０５の組み立て時のレンズ取付部７０１に対する取付位置が調整される。
【００４１】
（移動機構）
次に、光プリントヘッド１０５を露光位置と退避位置とに移動させる移動機構６４０について説明する。以下に説明する通り、移動機構６４０は光プリントヘッド１０５を露光位置と退避位置とに往復移動させる。
【００４２】
図３に示すように移動機構６４０は第１リンク機構８６１と、第２リンク機構８６２と、スライド部５２５と、第１支持部５２６を備える。第１リンク機構８６１はリンク部材６５１とリンク部材６５３を備え、第２リンク機構８６２はリンク部材６５２とリンク部材６５４を備える。図３に示すように、リンク部材６５１とリンク部材６５３、リンク部材６５２とリンク部材６５４はそれぞれλ型のリンク機構を構成する。
【００４３】
図５（ａ）は、移動機構６４０の手前側を左側から見た概略斜視図である。また、図５（ｂ）は、移動機構６４０の手前側を右側から見た概略斜視図である。
【００４４】
以下、図５（ａ）、図５（ｂ）、図６（ａ）および図６（ｂ）を用いて、第１リンク機構８６１について説明する。図６（ａ）は、第１リンク機構８６１を感光ドラム１０３の回転軸線に沿った面で切断した断面図を右側から見た図である。第１リンク機構８６１は、リンク部材６５１と、リンク部材６５３を備える。第１リンク機構８６１を構成するリンク部材６５１およびリンク部材６５３はそれぞれ単一のリンク部材であるが、複数のリンク部材を組み合わせて構成しても良い。図６（ａ）および（ｂ）に示すように、リンク部材６５３の長手方向の長さはリンク部材６５１の長手方向の長さよりも短い。
【００４５】
リンク部材６５１は、軸受部６１０、突起６５５、および接続軸部５３８、を備える。軸受部６１０はリンク部材６５１の長手方向の一端側に設けられている。突起６５５は、リンク部材６５１の長手方向の他端側に設けられた、リンク部材６５１の回動軸線方向に立設した円柱状の突起であって、光プリントヘッド１０５の保持体５０５側に設けられたバネを変形させるための突起である。接続軸部５３８はリンク部材６５１の長手方向において軸受部６１０と突起６５５との間に設けられている。なお、第１移動部は突起６５５に限らず、リンク部材６５１の長手方向の一端側が回動軸線方向に屈曲した構造でも構わない。
【００４６】
軸受部６１０には図６（ａ）の左右方向に延びる円形の中空孔が形成されている。スライド部５２５には嵌合軸部５３４が設けられている。嵌合軸部５３４はスライド部５２５から図６（ａ）の左方向に立設した円柱状の突起である。嵌合軸部５３４は軸受部６１０の孔に対して回動可能に嵌合されることで第１接続部を形成する。すなわち、リンク部材６５１は第１接続部を回動中心としてスライド部５２５に対して回動可能となっている。ここで、嵌合軸部５３４がリンク部材６５１側に形成され、軸受部６１０がスライド部５２５に形成されていても構わない。
【００４７】
リンク部材６５３は、接続軸部５３０を備える。接続軸部５３０はリンク部材６５３の長手方向の一端側に設けられている。接続軸部５３０はリンク部材６５３から図６（ａ）の左側に立設した円柱状の突起である。接続軸部５３０は第１支持部５２６に形成された孔に回転可能に挿入され、第３接続部を形成する。ここで、接続軸部５３０はリンク部材６５３ではなく、第１支持部５２６に形成されていても構わない。すなわち、リンク部材６５３に形成された孔に第３支持部に形成された接続軸部５３０が挿入されていてもよい。
【００４８】
リンク部材６５３の長手方向の他端側には図６（ａ）の左右方向に延びる円形の孔が形成されている。当該孔にはリンク部材６５１の接続軸部５３８が回動可能に挿入されており、接続軸部５３８とリンク部材６５３の孔は第４接続部を形成する。すなわち、リンク部材６５３は、第３接続部を回動中心に第１支持部５２６に対して回動可能であり、第４接続部を回動中心にリンク部材６５１に対して回動可能となっている。ここで、接続軸部５３８はリンク部材６５１ではなく、リンク部材６５３に形成されていても構わない。すなわち、リンク部材６５１に形成された孔にリンク部材６５３に形成された接続軸部５３８が挿入されてもよい。
【００４９】
なお、第２リンク機構８６２の構成についても、上で説明した第１リンク機構８６１の構成と同様である。第２リンク機構８６２が備えるリンク部材６５２およびリンク部材６５４は、それぞれリンク部材６５１およびリンク部材６５３に対応する。また、第１接続部に対応して、リンク部材６５２の長手方向の一端側とスライド部５２５との接続部分は第２接続部を構成する。なお、移動機構６４０の実施の形態はリンク部材６５３とリンク部材６５４のいずれか一方を省略しても良い。
【００５０】
以上の構成により、スライド部５２５が第１支持部５２６に対して前側から後側へスライド移動すると、スライド部５２５と共に嵌合軸部５３４に嵌合した軸受部６１０が第１支持部５２６に対して前側から後側へスライド移動する。これにより、図６（ａ）に示すように第１リンク機構８６１を右側から見た時、リンク部材６５１は嵌合軸部５３４を回動中心として時計回りに回動し、かつ、リンク部材６５３は接続軸部５３０を回動中心として反時計回りに回動する。よって、突起６５５が露光位置から退避位置へと向かう方向へ移動する。
【００５１】
一方、スライド部５２５が第１支持部５２６に対して後側から前側へスライド移動すると、リンク部材６５１およびリンク部材６５３は図６（ａ）に記載の矢印とは逆方向に移動する。スライド部５２５が、第１支持部５２６に対して後側から前側へスライド移動するとスライド部５２５と共に嵌合軸部５３４に嵌合した軸受部６１０が第１支持部５２６に対して後側から前側へスライド移動する。これにより、図６（ａ）に示すように第１リンク機構８６１を右側から見た時、リンク部材６５１は嵌合軸部５３４を回動中心として反時計回りに回動し、かつ、リンク部材６５３は接続軸部５３０を回動中心として時計回りに回動する。よって、突起６５５は退避位置から露光位置へと向かう方向へ移動する。
【００５２】
なお、（１）接続軸部５３８の回動中心軸と軸受部６１０の回動中心軸との距離をＬ１、（２）接続軸部５３８の回動中心軸と接続軸部５３０の回動中心軸との距離をＬ２、（３）接続軸部５３８の回動中心軸と突起６５５の回動中心軸との距離をＬ３とする。移動機構６４０において第１リンク機構８６１は、Ｌ１、Ｌ２、Ｌ３は互いに等しいスコットラッセル機構を形成する（図６（ｂ）参照）。距離Ｌ１、Ｌ２、Ｌ３は等しくすることによって、嵌合軸部５３４のスライド移動方向に対して突起６５５が垂直に移動（図６（ｂ）の点線Ａ上）するため、上記のリンク機構において光プリントヘッド１０５をレンズの略光軸方向に移動させることができる。
【００５３】
ここで、第１リンク機構８６１と、第２リンク機構８６２と、のそれぞれを前後方向で逆の構造とし、スライド部５２５を前側から後側へスライド移動させると光プリントヘッド１０５が退避位置から露光位置に向けて移動し、スライド部５２５を後側から前側へスライド移動させると光プリントヘッド１０５が露光位置から退避位置に向けて移動する構成としても構わない。この場合、後述するカバー５５８は、開状態から閉状態への移動時にスライド部５２５を前側から後側へ押し込み、閉状態から開状態への移動時にスライド部５２５を後側から前側へ引き込む。
【００５４】
光プリントヘッド１０５を移動させる機構は移動機構６４０に限らず、図７に示す移動機構１４０でも構わない。以下、図７および図８を用いて移動機構１４０について説明する。なお、移動機構６４０を構成する部材と実質的に同じ機能を有する部材には同じ符合を付して説明し、重複する説明は省略する場合がある。
【００５５】
以下、図７（ａ）、図７（ｂ）、および図８（ａ）、図８（ｂ）を用いて、移動機構１４０が保持体５０５を移動させる仕組みについて説明する。図８（ａ）は、保持体５０５と図８（ｂ）に示す移動機構１４０とを感光ドラム１０３の回転軸線に沿った面で切断した断面図である。
【００５６】
図７（ａ）および（ｂ）に示すように、リンク部材１５１は、軸受部１１０と、突起１５５を備える。軸受部１１０はリンク部材１５１の長手方向の一端側に設けられている。図８（ａ）および（ｂ）に示すように突起１５５は、リンク部材１５１の長手方向の他端側に設けられた、リンク部材１５１の回動軸線方向に立設した円柱状の突起であって、光プリントヘッド１０５の保持体５０５側に設けられたバネを変形させるための突起である。ここで、第１移動部は突起１５５に限らず、リンク部材１５１の長手方向の一端側がリンク部材１５１の回動軸線方向に屈曲した構造でも構わない。
【００５７】
軸受部１１０には左右方向に延びる円形の中空孔が形成されている。図８（ａ）および（ｂ）に示すように、スライド部５２５には嵌合軸部５３４が設けられている。嵌合軸部５３４はスライド部５２５から左方向に立設した円柱状の突起である。軸受部１１０の孔が嵌合軸部５３４に対して回動可能に嵌合されることで第１接続部を形成する。すなわち、リンク部材１５１は第１接続部を回動中心としてスライド部５２５に対して回動可能となっている。ここで、嵌合軸部５３４がリンク部材１５１側に形成され、軸受部１１０がスライド部５２５に形成されていても構わない。
【００５８】
なお、第１支持部５２６の後側には支持軸５３１と同様の軸が設けられ、スライド部５２５の後側には長孔６９１と同様の長孔が形成されており、移動機構１４０の後側は前側と同様の構造である。また、リンク部材１５２の構造についても、上で説明した第１移動部材の構造と同様であって、リンク部材１５２はリンク部材１５１に対応する。また、第１接続部に対応して、リンク部材１５２の長手方向の一端側とスライド部５２５との接続部分は第２接続部を構成する。
【００５９】
保持体５０５の一端より前側にはスライド部５２５がスライド移動する方向において保持体５０５と対向する当接部５２９が配置されている。これにより、スライド部５２５が第１支持部５２６に対して後側から前側へスライド移動すると、スライド部５２５と共に嵌合軸部５３４に嵌合した軸受部１１０が第１支持部５２６に対して後側から前側へスライド移動する。それに伴い、突起１５５が取り付けられた保持体５０５も前側に移動しようとするが、保持体５０５の一端は当接部５２９に当接しており前側への移動が制限される。リンク部材１５１は、突起１５５を備える一端側が軸受部１１０を備える他端側よりドラムユニット５１８側に位置するように感光ドラム１０３の回転軸線方向に交差して配置されているため、図８（ａ）に示すように右側から見ると嵌合軸部５３４を回動中心として反時計回りに回動する。よって、保持体５０５は、保持体５０５の一端が当接部５２９に当接しながら退避位置から露光位置に向かって移動する。
【００６０】
一方、スライド部５２５が、第１支持部５２６に対して前側から後側へスライド移動するとスライド部５２５と共に嵌合軸部５３４に嵌合した軸受部１１０が第１支持部５２６に対して後側から前側へスライド移動する。これにより、リンク部材１５１は、図８（ａ）に示すように右側から見ると嵌合軸部５３４を回動中心として時計回りに回動する。よって、突起１５５は露光位置から退避位置へと向かう方向へ移動する。詳しくは後述するが、スライド部５２５はカバー５５８の閉動作に連動して後側から前側に移動し、カバー５５８の開動作に連動して前側から後側に移動する。すなわち、カバー５５８が開状態から閉状態に移動すると保持体５０５が退避位置から露光位置へ向かう方向に移動し、カバー５５８が閉状態から開状態に移動すると保持体５０５が露光位置から退避位置へ向かう方向に移動する。
【００６１】
なお、リンク部材１５１およびリンク部材１５２は、他端側が一端側より前側に配置され、当接部５２９が保持体５０５の他端より後側に配置されていても構わない。すなわち、スライド部５２５が第１支持部５２６に対して前側から後側へスライド移動すると、スライド部５２５と共に嵌合軸部５３４に嵌合した軸受部１１０が第１支持部５２６に対して前側から後側へスライド移動する。それに伴い、突起１５５が取り付けられた保持体５０５も後側に移動しようとするが、保持体５０５の他端は当接部５２９に当接しており後側への移動が制限される。よって、リンク部材１５１を右側から見た時、リンク部材１５１およびリンク部材１５２はスライド部５２５に対して時計回りに回動し、保持体５０５は他端が当接部５２９に当接しながら退避位置から露光位置に向かって移動する。この場合、カバー５５８は、開状態から閉状態への移動時にスライド部５２５を前側から後側へ押し込み、閉状態から開状態への移動時にスライド部５２５を後側から前側へ引き込む。
【００６２】
光プリントヘッド１０５を移動させる機構は移動機構１４０や移動機構６４０に限らず、図９に示す移動機構８４０でも構わない。以下、図９を用いて移動機構８４０について説明する。なお、移動機構１４０（８４０）を構成する部材と実質的に同じ機能を有する部材には同じ符合を付して説明し、重複する説明は省略する場合がある。
【００６３】
図９（ａ１）および図９（ａ２）は移動機構８４０である。図９（ａ１）および図９（ａ２）に示すように移動機構８４０は第１リンク機構８５８と、第２リンク機構８５９と、スライド部８２５と、第１支持部５２６を備える。第１リンク機構８５８はリンク部材８４３とリンク部材８４４を備え、第２リンク機構８５９はリンク部材８４５とリンク部材８４６を備える。図９に示すように、リンク部材８４３とリンク部材８４４、リンク部材８４５とリンク部材８４６はそれぞれ互いに回動可能に交差してＸ型のリンク機構を構成する。リンク部材８４３の突起８４７、リンク部材８４４の突起８４８、リンク部材８４５の突起８４９、リンク部材８４６の突起８５０がそれぞれ不図示の保持体８０５に回動可能に取り付けられている。図９（ａ１）においてスライド部８２５を矢印Ａ方向にスライド移動させるとリンク部材８４３〜８４６がスライド部８２５に対して回動し、突起８４７〜８５０が下側へ移動する（図９（ａ２））。一方、図９（ａ２）においてスライド部８２５を矢印Ｂ方向にスライド移動させるとリンク部材８４３〜８４６がスライド部８２５に対して回動し、突起８４７〜８５０が上側へ移動する（図９（ａ１））。
【００６４】
図９（ｂ）は、移動機構８４０の前側を保持体８０５の前側と合わせて示した図である。以下、図９（ｂ）を用いて、移動機構８４０が保持体８０５を移動させる仕組みについて説明する。ここで、第１リンク機構８５８と第２リンク機構８５９の動作は実質的に同一のため、ここでは第１リンク機構８５８について図９（ｂ）を用いて説明する。第１リンク機構８５８は、リンク部材８４３と、リンク部材８４４を備える。第１リンク機構８５８を構成するリンク部材８４３およびリンク部材８４４はそれぞれ単一のリンク部材であるが、複数のリンク部材を組み合わせて構成しても良い。
【００６５】
図９（ｂ）における移動機構８４０は、第１リンク機構８５８、スライド部８２５を備える。図９（ｂ）に示すように、スライド部８２５は左右方向に貫通し前後方向に延びた長尺の開口である長孔８６３を備える。
【００６６】
リンク部材８４３は、突起８１０、突起８４７および接続軸部５３８、を備える。突起８１０はリンク部材８４３の長手方向の一端側に設けられている。突起８４７は、リンク部材８４３の長手方向の他端側に設けられた、リンク部材８４３の回動軸線方向であって右側に立設した円柱状の突起である。接続軸部５３８はリンク部材８４３の長手方向において突起８１０と突起８４７との間に設けられている。なお、第１移動部は突起８４７に限らず、リンク部材８４３の長手方向の一端側が回動軸線方向に屈曲した構造でも構わない。
【００６７】
突起８１０はスライド部８２５の長孔８６３に対して回動可能に緩嵌されることで第１接続部を形成する。すなわち、リンク部材８４３は第１接続部を回動中心としてスライド部８２５に対して回動可能となっている。また、突起８１０は長孔８６３において長孔８６３の前後方向の範囲内（開口内）で前後方向に移動可能である。長孔８６３の後側の縁と突起８１０との間にはコイルばね８６０が配置されている。
【００６８】
リンク部材８４４は、接続軸部５３０と突起８４８を備える。接続軸部５３０はリンク部材８４４の長手方向の一端側に設けられている。接続軸部５３０はリンク部材８４４から図９（ｂ）の右側に立設した円柱状の突起である。接続軸部５３０は第１支持部５２６に形成された孔に回転可能に挿入され、第３接続部を形成する。ここで、接続軸部５３０はリンク部材８４４ではなく、第１支持部５２６に形成されていても構わない。すなわち、リンク部材８４４に形成された孔に第３支持部に形成された接続軸部５３０が挿入されていてもよい。
【００６９】
突起８４８は、リンク部材８４４の長手方向の他端側に設けられた、リンク部材８４４の回動軸線方向であって右側に立設した円柱状の突起である。また、リンク部材８４４の突起８４８と第３接続部との間には図９（ｂ）の左右方向に延びる円形の孔が形成されている。当該孔にはリンク部材８４３の接続軸部５３８が回動可能に挿入されており、接続軸部５３８とリンク部材８４４の孔は第４接続部を形成する。すなわち、リンク部材８４４は、第３接続部を回動中心に第１支持部５２６に対して回動可能であり、第４接続部を回動中心にリンク部材８４３に対して回動可能となっている。ここで、接続軸部５３８はリンク部材８４３ではなく、リンク部材８４４に形成されていても構わない。すなわち、リンク部材８４３に形成された孔にリンク部材８４４に形成された接続軸部５３８が挿入されてもよい。なお、移動機構８４０の実施の形態はリンク部材８４３とリンク部材８４４のいずれか一方を省略しても良い。
【００７０】
保持体８０５は、レンズアレイ５０６、リンク取付部８５１、リンク取付部８５２、ピン取付部８５５を備える。リンク取付部８５１及びリンク取付部８５２は共に、レンズアレイ５０６と保持体８０５に取り付けられるピン５１４の間に設けられる。なお、ここでは図示しないが、第２リンク機構８５９を構成するリンク部材８４５及びリンク部材８４６が取り付けられるリンク取付部８５３及びリンク取付部８５４も共に、レンズアレイ５０６と保持体８０５の他端側に取り付けられるピン５１５の間に設けられる。リンク取付部８５１は、レンズアレイ５０６とピン取付部８５５との間において保持体８０５に形成された、左右方向に貫通した孔である。また、リンク取付部８５２はレンズアレイ５０６とリンク取付部８５１との間において保持体８０５に形成された、左右方向に貫通し前後方向に延びる長孔である。
【００７１】
リンク取付部８５１にはリンク部材８４３の突起８４７が回動可能に取り付けられており、リンク取付部８５２にはリンク部材８４４の突起８４８が回動可能に取り付けられている。また、突起８４８はリンク取付部８５１に対して前後方向に移動可能に取り付けられている。したがって、リンク部材８４４は突起８４８を回動中心として回動しながらリンク取付部８５２の前後方向の範囲内で前後方向にスライド移動可能である。
【００７２】
以上の構成により、スライド部８２５が第１支持部５２６に対して前側から後側へスライド移動すると、スライド部８２５と共に突起８１０が第１支持部５２６に対して前側から後側へスライド移動する。これにより、図９（ａ１）に示すように第１リンク機構８５８を右側から見た時、リンク部材８４３は突起８１０を回動中心として時計回りに回動し、かつ、リンク部材８４４は接続軸部５３０を回動中心として反時計回りに回動しながら突起８４８はリンク取付部８５２において前側から後側へ移動する。よって、突起８４７及び突起８４８が露光位置から退避位置へと向かう方向へ移動する。
【００７３】
一方、スライド部８２５が第１支持部５２６に対して後側から前側へスライド移動すると、スライド部８２５と共に突起８１０が第１支持部５２６に対して後側から前側へスライド移動する。これにより、図９（ａ２）に示すように第１リンク機構８５８を右側から見た時、リンク部材８４３は突起８１０を回動中心として反時計回りに回動し、かつ、リンク部材８４４は接続軸部５３０を回動中心として時計回りに回動しながら突起８４８はリンク取付部において後側から前側へ移動する。よって、突起８４７及び突起８４８が退避位置から露光位置へと向かう方向へ移動する。図９（ｂ）に示すように、当接ピン５１４が当接面５５０に当接した状態で、更にスライド部８２５が前側へスライド移動すると、コイルばね８６０が長孔８６３の後側の縁と突起８１０とに挟まれて収縮する。収縮したコイルばね８６０の復元力によって、突起８１０は前側へ付勢される。これにより、保持体８０５に上側へ向かう方向の付勢力が付与される。
【００７４】
ここで、第１リンク機構８５８と、第２リンク機構８５９と、のそれぞれを前後方向で逆の構造とし、スライド部８２５を前側から後側へスライド移動させると光プリントヘッド１０５が退避位置から露光位置に向けて移動し、スライド部８２５を後側から前側へスライド移動させると光プリントヘッド１０５が露光位置から退避位置に向けて移動する構成としても構わない。この場合、後述するカバー５５８は、開状態から閉状態への移動時にスライド部８２５を前側から後側へ押し込み、閉状態から開状態への移動時にスライド部８２５を後側から前側へ引き込む。
【００７５】
また、光プリントヘッド１０５を移動させる機構は移動機構１４０、移動機構６４０、移動機構８４０に限らず、図１０に示す移動機構９４０でも構わない。以下、図１０を用いて移動機構９４０について説明する。なお、移動機構１４０（６４０や８４０を含む）を構成する部材と実質的に同じ機能を有する部材には同じ符合を付して説明し、重複する説明は省略する場合がある。
【００７６】
図１０に示すように、スライド部５２５の前側及び後側には第１カム部１１２および第２カム部１１３が設けられており、また、保持体９０５の下側であって前側及び後側には移動支持部１１４及び移動支持部１１５が設けられている。第１カム部１１２および第２カム部１１３は、保持体９０５側に後側から前側に向けて下側に傾斜した面を備える。
【００７７】
図１０（ａ）は、露光位置に位置する光プリントヘッド１０５及び移動機構９４０を右側から見た概略図である。光プリントヘッド１０５が露光位置である際に、スライド部５２５が第１支持部５２６に対して前側から後側へスライド移動すると、スライド部５２５と共にスライド部５２５に設けられた第１カム部１１２および第２カム部１１３が第１支持部５２６に対して前側から後側へスライド移動する。これにより、保持体９０５に設けられた移動支持部１１４及び移動支持部１１５の下端が第１カム部１１２および第２カム部１１３に当接し、移動支持部１１４及び移動支持部１１５が第１カム部１１２および第２カム部１１３に沿って露光位置から退避位置へと向かう方向へ移動する。
【００７８】
図１０（ｂ）は、退避位置に位置する光プリントヘッド１０５及び移動機構９４０を右側から見た概略図である。光プリントヘッド１０５が退避位置である際に、スライド部５２５が第１支持部５２６に対して後側から前側へスライド移動すると、スライド部５２５と共にスライド部５２５に設けられた第１カム部１１２および第２カム部１１３が第１支持部５２６に対して後側から前側へスライド移動する。これにより、保持体９０５に設けられた移動支持部１１４及び移動支持部１１５の下端が第１カム部１１２および第２カム部１１３に沿って、退避位置から露光位置へと向かう方向へ押し上げられ移動する。
【００７９】
ここで、第１カム部１１２および第２カム部１１３と、のそれぞれが備える傾斜面の傾斜方向を前側から後側へ向けて下側に傾斜した構造とし、スライド部５２５を前側から後側へスライド移動させると光プリントヘッド１０５が退避位置から露光位置に向けて移動し、スライド部５２５を後側から前側へスライド移動させると光プリントヘッド１０５が露光位置から退避位置に向けて移動する構成としても構わない。この場合、後述するカバー５５８は、開状態から閉状態への移動時にスライド部５２５を前側から後側へ押し込み、閉状態から開状態への移動時にスライド部５２５を後側から前側へ引き込む。
【００８０】
図１１は、第１支持部材５２６（支持部の一例）に形成された開口１６１を説明するための図である。前述の通り、第１支持部材５２６には第１支持部材５２６を貫通する貫通孔である開口１６１が形成されている。開口１６１は、第１支持部材５２６が画像形成装置１に取り付けられた状態において第１支持部材５２６の鉛直方向下側の面にあたる底面に形成されている。また、開口１６１は、第１支持部材５２６のうち、基板５０２のコネクタ５０４と対向する部分に形成されている。本実施例において、開口１６１は長方形状の孔であって、その長辺は７０ｍｍ、短辺は１０ｍｍである。開口１６１には、光プリントヘッド１０５が有する基板５０２のコネクタ５０４に接続されたケーブル５５５が通される。ケーブル５５５はコネクタ５０４から光プリントヘッド１０５に対し感光ドラムが配置されている側とは反対側に向けて延び、開口１６１を通過している。
【００８１】
（画像形成装置本体に対する光プリントヘッドの着脱構成）
図１２は、ユーザやサービスマンなどの作業者によって、光プリントヘッド１０５と共に第１支持部材５２６が画像形成装置１本体から引き出された状態を説明するための図である。図１２に示すように、第１支持部材５２６は、感光ドラム１０３の回転軸線方向にスライド移動して画像形成装置１本体から引き出すことが可能である。作業者が第１支持部材５２６を画像形成装置１本体から引き出すときは、作業者は第１支持部材５２６を矢印Ａ方向に移動させる。一方、作業者が第１支持部材５２６を画像形成装置１本体に装着するときは、作業者は第１支持部材５２６を矢印Ｂ方向に移動させる。なお、「矢印Ａ方向」は、第１支持部材５２６が画像形成装置１本体から「引き出される方向」と一致する。第１支持部材５２６は前側板６４２に形成された開口２０１０を介して矢印Ａ方向および矢印Ｂ方向に移動する。ここで、感光ドラム１０３を露光するために第１支持部材５２６が画像形成装置１本体に装着された位置を装着位置、装着位置から矢印Ａ方向に移動してコネクタ５０４が開口２０１０よりも矢印Ａ方向における下流側に位置する位置を引き出し位置と定義する。基板５０２の交換などのために、光プリントヘッド１０５を画像形成装置１本体から取り出す必要がある場合には、作業者は第１支持部材５２６を引き出し位置まで移動させ、コネクタ５０４を操作してコネクタ５０４からケーブル５５５を取り外す。その後、更に第１支持部材５２６を矢印Ａ方向に引き出すことで、第１支持部材５２６および光プリントヘッド１０５を画像形成装置１本体から取り外すことが出来る。
【００８２】
次に、図１２を用いて第２支持部材１０５６（案内部の一例）について説明する。第２支持部材１０５６の一端側（画像形成装置１本体の手前側）は、前側板６４２に対してビス等によって固定されている。また、第２支持部材１０５６の他端側（画像形成装置１本体の奥側）は、後側板６４３に対してビス等によって固定されている。第２支持部材１０５６は、前側板６４２に形成された開口２０１０を通して、画像形成装置１本体の外側から画像形成装置１本体の内部に挿入される第１支持部材５２６の移動を案内する機能を有する。言い換えれば、第２支持部材１０５６は、引き出し位置から装着位置に向けてあるいは装着位置から引き出し位置に向けて移動する第１支持部材５２６の移動を案内する機能を持つ。第１支持部材５２６は、作業者によって引き出し位置（あるいは装着位置）から装着位置（あるいは引き出し位置）に向けて移動されている途中は第２支持部材１０５６によって鉛直方向下側から上側に向けて支持されている。ここで、本実施例においては、装着位置に位置する状態の第１支持部材５２６は、前側板６４２と後側板６４３とのみによって位置決めされ支持される。そのため、装着位置に位置する第１支持部材５２６は、第２支持部材１０５６によっては支持されない。これは、第１支持部材５２６を感光ドラム１０３に対してより精度良く位置決めするためである。仮に第１支持部材５２６を、前側板６４２と後側板６４３に固定されている第２支持部材１０５６に対して位置決めさせると、第１支持部材５２６は一部材（この場合は第２支持部材１０５６）余分に介して前側板６４２と後側板６４３とに位置決めされることになってしまう。なお、第２支持部材１０５６は、４基の画像形成部１０２Ｙ、１０２Ｍ、１０２Ｃ、１０２Ｋそれぞれに対応して画像形成装置１本体の内部に配置されている。
【００８３】
さらに、図１２に示すように、第２支持部材１０５６はガイド部１０５８とガイド部１０５９を備える。ガイド部１０５８は、前側板６４２の開口２０１０を介して画像形成装置１本体の内部に向けて挿入されるドラムユニット５１８（図２参照）の移動を案内する機能を有する。ガイド部１０５８の形状はドラムユニット５１８の下部の形状に倣った形状を成している。そのため、前側板６４２の開口２０１０を介して画像形成装置１本体の前側から奥側に向けて挿入されたドラムユニット５１８が、若干の遊びをもってガイド部１０５８に嵌合する。作業者は、ドラムユニット５１８の下部をガイド部１０５８に嵌合させた状態で、更に、画像形成装置１本体の前側から奥側に向けてドラムユニット５１８を押し込んでいく。すると、ドラムユニット５１８はガイド部１０５８に沿って画像形成装置１本体の前側から奥側に向けて移動していき画像形成装置１本体へ装着される。
【００８４】
一方、ガイド部１０５９は、前側板６４２の開口２０１０を介して画像形成装置１本体の内部に向けて挿入される光プリントヘッド１０５の移動を案内する機能を有する。光プリントヘッド１０５は、基板５０２の動作不良等があった場合、そのメンテナンスのために交換や修理をする必要がある。そのため、光プリントヘッド１０５は、画像形成装置１に対して交換可能な構成を取る必要がある。
【００８５】
ガイド部１０５９の形状は第１支持部材５２６の下部に倣った形状を成している。そのため、前側板６４２の開口２０１０を介して画像形成装置１本体の手前側から奥側に向けて挿入された第１支持部材５２６が若干の遊びをもってガイド部１０５９に嵌合する。作業者は、第１支持部材５２６の下部をガイド部１０５９に嵌合させた状態で、更に、画像形成装置１本体の前側から奥側に向けて第１支持部材５２６を押し込んでいく。すると、第１支持部材５２６はガイド部１０５９に沿って画像形成装置１本体の前側から奥側に向けて移動していき、第１支持部材５２６の奥側の端部が後側板６４３に形成された不図示の開口に嵌合する。すなわち、作業者は、光プリントヘッド１０５をガイド部１０５９に嵌合させた状態で画像形成装置１本体の前側から奥側に向けて移動させていくだけで、第１支持部材５２６を画像形成装置１本体に対して確実に位置決めさせることができる。
【００８６】
次に、第２支持部材１０５６の下側に設けられた規制部１０６２（保持部の一例）の機能について説明する。図１２に示すように、規制部１０６２は第１壁部１０６２ａと第２壁部１０６２ｂとを備える。第１壁部１０６２ａは、第２支持部材１０５６の上側から孔１０５６ａを介して第２支持部材１０５６より下側に向けて這い回されるケーブル５５５を、第１壁部１０６２ａと第２壁部１０６２ｂとによってケーブル５５５より手前側と奥側から挟み込んで保持する部材である。この規制部１０６２は、第１支持部材５２６が装着位置に位置する状態において、後述する凸部６６２よりも第１支持部材５２６が引き出される方向における下流側に設けられている。ケーブル５５５は第１壁部１０６２ａと第２壁部１０６２ｂとによって挟持されることで、第２支持部材１０５６に取り付けられた状態となる。第１壁部１０６２ａは弾性を有し、その先端（ケーブル５５５に接触する部分）側が常に第２壁部１０６２ｂに対して付勢されている。これにより、ケーブル５５５は、第１壁部１０６２ａと第２壁部１０６２ｂとによって感光ドラム１０３の回転軸線方向において挟まれ、画像形成装置１の手前側から奥側へ向けての移動および画像形成装置１の手前側から奥側への移動が規制される。なお、規制部１０６２の構成は上記のような構成に限られず。第２壁部１０６２ｂが弾性を有する構成、すなわち第２壁部１０６２ｂが第１壁部１０６２ａに対して付勢されている構成でも構わないし、双方がそれぞれに対して付勢されている構成でも構わない。また、例えば、第２壁部１０６２ｂを取り去り、第１壁部１０６２ａを第２支持部材１０５６の下側に付勢させる構造でも構わない。この場合、ケーブル５５５は、第１壁部１０６２ａと第２支持部材１０５６の下側とによって鉛直方向において挟み込まれることで第２支持部材１０５６に対して取り付けられる。本実施例では、ケーブル５５５は、第１壁部１０６２ａと第２壁部１０６２ｂとによって挟持されているものの、挟まれた状態で動くことが可能である。規制部１０６２の機能としては、ケーブル５５５の一部が、画像形成装置１の奥側から手前側に向けて移動することを制限されていればよい。そのため、ケーブル５５５は規制部１０６２に対して、接着剤や両面テープなどによって若干の移動（数１０ｍｍの移動）を許容した上で固定されていても構わない。
【００８７】
規制部１０６２は、第２支持部材１０５６に設けられていなくても構わない。規制部１０６２は、前側板６４２よりも画像形成装置１の奥側かつ後側板６４３よりも画像形成装置１の手前側に設けられていれば構わない。規制部１０６２を設ける箇所としては、例えば、前側板６４２の裏側や後側板６４３の手前側がある。ケーブル５５５の他端側が接続される中継基板を例えば後側板６４３より画像形成装置１の奥側に配置した場合、中継基板から延びるケーブル５５５は後側板６４３に形成された孔を介して後側板６４３より手前側に這い回される。なお、ここで言うところの中継基板は、ＬＥＤ５０３を駆動するための駆動電圧を制御するための制御部から基板５０２へ送られる駆動信号を中継する機能をもつ。ケーブル５５５の他端は、中継基板ではなく不図示の制御部に直接的に接続されていてもよい。後側板６４３に形成された孔から手前側に延びたケーブル５５５は第２支持部材１０５６に形成された孔１０５６ａを介して基板５０２のコネクタ５０４に接続される。
【００８８】
図１３は、第１支持部材５２６が装着位置に位置する状態を示す概略斜視図である。規制部１０６２は不図示としている。なお、第２支持部材１０５６に形成された孔１０５６ａには、不図示の制御部とコネクタ５０４とを電気的に接続するケーブル５５５が通されている。孔１０５６ａの詳細は後で説明する。図１３を用いてケーブル５５５の配線について説明する。コネクタ５０４に接続されたケーブル５５５は、第１支持部材５２６に形成された不図示の開口１６１を通り、コネクタ５０４から鉛直方向下側に向けて延びる。さらに、ケーブル５５５は、不図示の開口１６１から第１支持部材５２６の長手方向（感光ドラム１０３の回転軸線方向）に沿って画像形成装置１の奥側に向けて延び、領域Ｄに示す部分にて折り返されている。これにより、ケーブル５５５の一領域が湾曲して、ケーブル５５５に湾曲領域（領域Ｄ）が形成される。領域Ｄにおいて折り返されたケーブル５５５は、第２支持部材１０５６の手前側に形成された規制部１０６２に向けて、第２支持部材１０５６のガイド部１０５９に沿って延びている。ケーブル５５５が湾曲した湾曲領域である領域Ｄ（以下、ケーブル５５５に形成された「湾曲部Ｄ（ケーブルの一領域）」と称する）において、ケーブル５５５は第１支持部材５２６と第２支持部材１０５６のガイド部１０５９とに接触している。
【００８９】
図１４は、第１支持部材５２６は装着位置から引き出し位置に向けて移動している途中の状態を説明するための図である。ここで、説明を簡単にするため、図１４では図１２で言うところの規制部１０６２を不図示としている。図１４に示す通り、ケーブル５５５に形成された湾曲部Ｄは、矢印Ａ方向に移動する第１支持部材５２６と共に矢印Ａ方向に向けて移動する。ケーブル５５５は、不図示の規制部１０６２において、その移動を規制されている。すなわち、図１４において領域Ｄで示すように、ケーブル５５５が撓んでいるため、第１支持部材５２６を矢印Ａ方向に向けて引き出すことが可能である。ケーブル５５５に形成された湾曲部Ｄは、感光ドラム１０３の回転軸線方向において画像形成装置１の奥側に向けて湾曲している。作業者は、図１４に示す状態から第１支持部材５２６を更に矢印Ａ方向に向けて移動させ、引き出し位置まで移動させる。
【００９０】
図１５は、第１支持部材５２６が引き出し位置に移動した状態を示す図である。図１５に示すように、第１支持部材５２６が引き出し位置に位置するとき、コネクタ５０４は前側板６４２の開口２０１０よりも手前側に位置する。作業者は、この状態でコネクタ５０４からケーブル５５５を取り外し、その後、更に第１支持部材５２６を矢印Ａ方向に引き出すことで、第１支持部材５２６および光プリントヘッド１０５を画像形成装置１から取り外すことができる。第１支持部材５２６が引き出し位置に位置するとき、ケーブル５５５は孔１０５６ａの縁に接触し屈曲している。
【００９１】
図１６（ａ）および図１６（ｂ）は、第１支持部材５２６の開口１６１の縁に取り付けられたケーブルガイド部材５５６を説明するための図である。ケーブルガイド部材５５６は、第１支持部材５２６の底面部６６５に形成された開口１６１にスナップフィット構造をなして取り付けられている。図１６（ａ）に示すように、ケーブルガイド部材５５６は、第１壁部６６０と、第２壁部６６１と、凸部６６２と、カバー６６３（当接部の一例）と、を備える。図１６（ｂ）は、ケーブルガイド部材５５６のカバー６６３が開いた状態を示す図である。図１６（ｂ）に示すように、開口１６１から第１支持部材５２６の下側へと延びるケーブル５５５は、開口１６１部分において折り曲げられている。折り曲げられたケーブル５５５は、不図示のスライド部５２５のスライド移動方向における第１支持部材５２６の一端側もしくは他端側に向けて延びている。なお、本実施例においては、ケーブル５５５は開口１６１から不図示のスライド部５２５のスライド移動方向における第１支持部材５２６の他端側（画像形成装置１の奥側）に向けて配線されている。図１６（ａ）に示すように、ケーブル５５５の折り曲げられた部分が、閉じられたカバー６６３によって鉛直方向上側に向けて支持されている。言い換えれば、カバー６６３はケーブル５５５の折り曲げられた部分に対して、光プリントヘッド１０５が退避位置から露光位置へと向かう方向に当接している。
【００９２】
本実施例において、ケーブル５５５は、閉じられたカバー６６３と第１支持部材５２６とによって挟持されている。カバー６６３と第１支持部材５２６とによって挟持されたケーブル５５５は第１支持部材５２６の長手方向に沿って、第１支持部材５２６が引き出される方向とは反対方向（画像形成装置１の手前側へと向かう方向）に向けて配線される。
【００９３】
図１７は、露光ユニット５００を感光ドラム１０３の回転軸線方向に対して垂直な方向に切断した断面図である。図１７（ａ）は光プリントヘッド１０５が露光位置に位置する状態を示し、図１７（ｂ）は光プリントヘッド１０５が退避位置に位置する状態を示す。
【００９４】
図１７（ａ）と図１７（ｂ）とにおいて、破線Ｘで示す領域は、ケーブル５５５のうちコネクタ５０４に接続された部分とカバー６６３に当接して折り曲げられた部分との間の領域を示す。この破線Ｘで示す部分は、図１７（ａ）に示すように、光プリントヘッド１０５が露光位置に位置する時は撓んでいない。一方、破線Ｘで示す部分は、図１７（ｂ）に示すように、光プリントヘッド１０５が退避位置に位置する時は撓んでいる（もしくは折られている）。これは、コネクタ５０４から延びるケーブル５５５がカバー６６３に接触した状態でカバー６６３によって支持されているからである。光プリントヘッド１０５が露光位置と退避位置とを移動することに伴い、ケーブル５５５の破線Ｘで示す部分も上下方向に移動するものの、図１７（ｂ）に示すようにケーブル５５５はカバー６６３によって受け止められる。ケーブル５５５の破線Ｘで囲む部分は、コネクタ５０４とカバー６６３との間で屈曲するため、ケーブルガイド部材５５６よりも鉛直方向下側に突出することはない。
【００９５】
ここで、仮にケーブルガイド部材５５６がカバー６６３を持たない構成である場合を考える。この場合、図１７（ｂ）に示すように、光プリントヘッド１０５が露光位置から退避位置に向けて移動した場合、ケーブル５５５はカバー６６３によって支持されないため、ケーブル５５５に破線Ｘで示すような撓みが形成されず、第１支持部材５２６の開口１６１から鉛直方向下方に露出する。仮にこの状態で、作業者が第１支持部材５２６を前側板６４２の開口２０１０を介して挿抜すると、第１支持部材５２６の開口１６１から鉛直方向下方に露出したケーブル５５５が前側板６４２の開口２０１０の縁に接触してしまう虞がある。本発明の構成のように、カバー６６３を設けることで、ケーブル５５５が前側板６４２の開口２０１０の縁に接触し損傷してしまう虞を低減することが出来る。
【００９６】
ケーブルガイド部材５５６の第１壁部６６０と第２壁部６６１とは、それぞれ第１支持部材５２６の底面部６６５に対して垂直な方向に突出している。第２壁部６６１には、第２壁部６６１の突出方向と第１支持部材５２６の長手方向との双方に垂直な方向（垂直方向）に延びる凸部６６２が形成されている。すなわち、第１壁部６６０、第２壁部６６１、凸部６６２それぞれの位置関係は、鉛直方向と感光ドラム１０３の回転軸線方向との双方に垂直な垂直方向において、凸部６６２よりも一方側に第１壁部６６０が位置し、凸部６６２よりも他方側に第２壁部６６１が位置する。凸部６６２は、第１支持部材５２６が引き出される方向（矢印Ａ方向）において開口１６１よりも上流側で第１支持部材５２６に対して固定されている。開口１６１から露出し、カバー６６３と第１支持部材５２６の底面部６６５との間に挟まれたケーブル５５５は、第１壁部６６０と第２壁部６６１との間に配線される。凸部６６２の延びる方向である垂直方向において、第１壁部６６０と第２壁部６６１とは、双方ともケーブル５５５と重なる。また、凸部６６２は、第１壁部６６０と第２壁部６６１との間に配線されたケーブル５５５よりも下側となるように第２壁部６６１に設けられている。すなわち、ケーブル５５５は、凸部６６２によって鉛直方向下側から支持されている。言い換えれば、ケーブル５５５は、鉛直方向において凸部６６２と第１支持部材５２６の底面部６６５との間を配線されている。ここで、凸部６６２は、第２壁部６６１ではなく、第１壁部６６０に設けられていても構わない。その場合、凸部６６２は第１壁部６６０から第２壁部６６１に向けて突出した突起となる。また、凸部６６２は、第１壁部６６０と第２壁部６６１とを連結していても構わない。すなわち、感光ドラム１０３の回転軸線方向と鉛直方向との双方に垂直な垂直方向において、第１壁部６６０と第２壁部６６１とをつなぐ部材であっても構わない。
【００９７】
以上の構成により、ケーブル５５５は、ケーブル５５５の一部が開口１６１よりも第１支持部材５２６が引き出される方向における上流側で凸部６６２によって支持されることで、ケーブル５５５は開口１６１から画像形成装置１の奥側に向けて配線される。
【００９８】
また、第１壁部６６０と第２壁部６６１とは、図１６中に矢印ｈで示すように、凸部６６２よりも鉛直方向下側に距離ｈだけ突出している。本実施例において、距離ｈは５ｍｍである。詳しくは後述するが、この構成により、第１支持部材５２６を引き出し位置から装着位置に向けて移動させていったとき、ケーブル５５５が、凸部６６２と前側板６４２に形成された開口２０１０の下側の縁との間に挟まれてしまうことを防ぐことが出来る。
【００９９】
また、図１６に示すように、第１壁部６６０の手前側の端部には傾斜面６６６が形成され、第２壁部６６１の手前側の端部には傾斜面６６７が形成されている。傾斜面６６６と傾斜面６６７とは、第１支持部材５２６が画像形成装置１から引き出される方向とは反対方向に向かうに従い、第１支持部材５２６の底面部６６５に向けて傾斜している。本実例において、底面部６６５に対する傾斜面６６６の傾斜角と底面部６６５に対する傾斜面６６７の傾斜角とは、それぞれ１０度以上４０度以下である。第１支持部材５２６を引き出し位置から装着位置へ向けて開口２０１０を通すときに、これら傾斜面６６６および傾斜面６６７が開口２０１０の鉛直方向下側の縁に当接する。これにより、第１支持部材５２６の移動が傾斜面６６６および傾斜面６６７によって案内される。したがって、作業者は、容易に第１支持部材５２６を開口２０１０に通して、第１支持部材５２６を引き出し位置から装着位置に向けて移動させることが出来る。
【０１００】
次に、図１８（ａ）〜（ｃ）を用いて、第１支持部材５２６が画像形成装置１の本体の内部に装着された状態（装着位置に位置する状態）における、孔１０５６ａとコネクタ５０４との間のケーブル５５５の長さと、孔１０５６ａと前側板６４２の開口２０１０との距離の長さを説明する。
【０１０１】
図１８（ａ）は、コネクタ５０４から第２支持部材１０５６に形成されて孔１０５６ａまで延びるケーブル５５５について説明するための図である。図１８（ａ）に示すように、孔１０５６ａから上方に延びるケーブル５５５は、コネクタ５０４に向けて配線されている。ケーブル５５５の領域Ｓ１は、画像形成装置１の手前側に向けて第１支持部材５２６に沿って配線されており、第１支持部材５２６の下面と対向している。なお、ここでは説明を簡単にするため、コネクタ５０４に向けて延びるケーブル５５５は、領域Ｓ２に示す部分において上方に向けて略直角に折り曲げられた構成としている。
【０１０２】
図１８（ｂ）は、図１８（ａ）に示すケーブル５５５の折り曲げ（領域Ｓ２）を解除し、伸ばした状態を示す図である。また、図１８（ｃ）は、第１支持部材５２６が、画像形成装置１から引き出された状態において、第２支持部材１０５６の前側および前側板６４２の開口２０１０を感光ドラムの回転軸線方向に沿って鉛直方向に切断した断面図である。図１８（ｂ）において、点線３１００で示す部分は、ケーブル５５５のうち孔１０５６ａの縁（壁部１０６０もしくは壁部１０６１）に接触する部分である。また、図１８（ｂ）において、点線３１０１で示す部分は、ケーブル５５５のうち規制部１０６２と接触する部分である。図１８（ｂ）中において、矢印ａ１で示す部分の長さは、コネクタ５０４から下方に向けて延びるケーブル５５５が画像形成装置１の手前側に向けて折り返された部分からケーブル５５５が孔１０５６ａの縁（壁部１０６０）に接触する部分までの長さを示す。図１８（ｂ）中において、矢印ａ２が示す部分の長さは、ケーブル５５５が壁部１０６０に接触する部分から規制部１０６２によって挟持される部分までの長さを示す。図１８（ｂ）中における矢印ｂの長さは、コネクタ５０４に接続される部分から、コネクタ５０４から下方に向けて延びるケーブル５５５が画像形成装置１の手前側に向けて折り返された部分までの長さである。すなわち、矢印ａ１と矢印ｂ１との和である矢印ａで示される部分のケーブル５５５の長さと矢印ｂで示される部分のケーブル５５５の長さとの和が、規制部１０６２からコネクタ５０４までのケーブル５５５の最短長さである。
【０１０３】
図１８（ｃ）は、光プリントヘッド１０５が画像形成装置１から引き出された状態であるため、ケーブル５５５が孔１０５６ａの第１壁部１０６０を支点として画像形成装置１の手前側に向けて折り返されている。この状態において、ケーブル５５５は撓むことなく張られている。ここで、図１８（ｃ）に示すように、孔１０５６ａから開口２０１０までのケーブル５５５の長さである、長さｃと長さｄと長さｅの和を、孔１０５６ａと開口２０１０との距離（最短距離）と定義する。この最短距離は、図１８（ｃ）の例に示すように、第２支持部材１０５６の上側の面が例えば段差形状を成しているような場合でも、ケーブル５５５の接続部側（コネクタ５０４に接続される側）を開口２０１０の下端の縁に接触させて手前側に引っ張ることで求めることが出来る。言い換えれば、ケーブル５５５が規制部１０６２に挟持された状態で開口２０１０よりも手前から、ケーブル５５５を奥側から手前側に向けて引っ張り、ケーブル５５５の撓みが無くなった時の規制部１０６２から開口２０１０までの距離が「最短距離」である。図５に示すように、規制部１０６２からコネクタ５０４に接続される部分までのケーブル５５５の長さは上述した「最短距離」よりも長い。
【０１０４】
すなわち、ケーブル５５５がコネクタ５０４に接続された状態における規制部１０６２からコネクタ５０４に接続されている部分までのケーブル５５５の長さは、ケーブル５５５がコネクタ５０４に接続された状態で光プリントヘッド１０５が引き出し位置まで移動したときにコネクタ５０４が開口２０１０よりも手前側に位置する長さである。
【０１０５】
以上のような構成にすることで、作業者は、第１支持部材５２６を、コネクタ５０４の少なくとも一部が前側板６４２の開口２０１０よりも画像形成装置１の手前側にくる位置である引き出し位置まで引き出すことが出来る。作業者は、第１支持部材５２６が引き出し位置まで移動して開口２０１０よりも手前側に位置するコネクタ５０４からケーブル５５５を取り外す。その後、作業者は、光プリントヘッド１０５を更に画像形成装置１の手前側に向けて引き出して、光プリントヘッド１０５のメンテナンス等を行う。
【０１０６】
《実施例２》
図１９は、実施例２のケーブルガイド部材７５６を説明するための図である。図１９に示すように、ケーブルガイド部材７５６は第１壁部７６０、第２壁部７６１、接触面部７６３（当接部の一例）を備える。第１壁部７６０は、感光ドラム１０３の回転軸線方向と移動機構６４０によって移動する光プリントヘッド１０５の移動方向との双方に垂直な垂直方向において開口１６１よりも一方側に位置するように第１支持部材５２６の底面に設けられている。また、第２壁部７６１は、感光ドラム１０３の回転軸線方向と移動機構６４０によって移動する光プリントヘッド１０５の移動方向との双方に垂直な垂直方向において開口１６１よりも他方側に位置するように第１支持部材５２６の底面に設けられている。言い換えれば、第１壁部７６０は開口１６１の右側のへりに設けられ、第２壁部７６１は開口１６１の左側のへりに設けられている。第１壁部７６０と第２壁部７６１とは双方とも第１支持部材５２６から鉛直方向下側に向けて突出している。
【０１０７】
図１９に示すように、接触面部７６３は、第１壁部７６０の底面と第２壁部７６１の底面とを連結するように第１壁部７６０と第２壁部７６１とに設けられている。なお、本実施例では、図１９に示すように、複数の接触面部７６３がそれぞれ間隔をあけて設けられている。光プリントヘッド１０５が露光位置から退避位置へ向けて移動するとケーブル５５５の一部が接触面部７６３に接触する。ケーブル５５５の一部が接触することで、ケーブル５５５のうち、コネクタ５０４と接触面部７６３との間の部分が屈曲し撓む。なお、ケーブル５５５は撓まずに折り曲げられてもよい。これにより、光プリントヘッド１０５が退避位置に位置するときでもケーブル５５５がケーブルガイド部材７５６よりも鉛直方向下側に突出することはない。
【０１０８】
また、ケーブルガイド部材７５６から接触面部７６３を取り除いた構成でも構わない。ただし、この場合は、光プリントヘッド１０５が退避位置に位置するときに、第１壁部７６０と第２壁部７６１とが、ケーブル５５５のうち開口１６１から鉛直方向下側に露出し装置本体の奥側に向けて折り返された部分までの領域よりも鉛直方向下側に突出している必要がある。
【０１０９】
図２０は、上述したようにケーブルガイド部材７５６が接触面部７６３を備えない場合のケーブル５５５の動作について説明するための図である。図２０（ａ）は光プリントヘッド１０５が露光位置に位置する状態を示し、図２０（ｂ）は光プリントヘッド１０５が退避位置に位置する状態を示す。
【０１１０】
図２０（ａ）に示すように、コネクタ５０４に接続されたケーブル５５５は、コネクタ５０４から鉛直方向下方に向けて延びている。ケーブル５５５は、第１支持部材５２６に形成された不図示の開口１６１を通り、画像形成装置１の奥側（図中の矢印Ｂ方向）に向けて折り返されて延びている。ケーブル５５５は、折り返された状態が維持されるように、例えば接着剤等でその形状が固定されている。そのため、図２０（ｂ）に示すように、光プリントヘッド１０５が退避位置に位置する場合でも、コネクタ５０４の直下においてケーブル５５５は第１壁部７６０および第２壁部７６１よりも鉛直方向下側には露出しない。そのため、光プリントヘッド１０５が退避位置に位置する状態で第１支持部材５２６が沿装着位置と引き出し位置とを移動した場合でも、ケーブル５５５のうちコネクタ５０４直下に位置する部分が前側板６４２に形成された開口２０１０の縁に接触することはない。しかし、実施例１のように、光プリントヘッド１０５が退避位置に移動したときにケーブル５５５がコネクタ５０４直下において撓むことがないため、この場合の露光ユニットは実施例１における露光ユニットに比べて上下方向に大型化してしまう。
【０１１１】
なお、前述した実施例では、画像形成部及び光プリントヘッドを４つ使用しているが、この使用個数は限定されるものではなく、必要に応じて適宜設定すれば良い。
【０１１２】
また前述した実施例では、画像形成装置としてプリンタを例示したが、本発明はこれに限定されるものではない。例えば複写機、ファクシミリ装置等の他の画像形成装置や、或いはこれらの機能を組み合わせた複合機等の他の画像形成装置であっても良い。これらの画像形成装置に本発明を適用することにより同様の効果を得ることができる。
【符号の説明】
【０１１３】
１０５  光プリントヘッド
５０４  コネクタ
５２６  第１支持部材
５５５  ケーブル
６６３  カバー
【図１】
2020008819.tif 000003
【図２】
2020008819.tif 000004
【図３】
2020008819.tif 000005
【図４】
2020008819.tif 000006
【図５】
2020008819.tif 000007
【図６】
2020008819.tif 000008
【図７】
2020008819.tif 000009
【図８】
2020008819.tif 000010
【図９】
2020008819.tif 000011
【図１０】
2020008819.tif 000012
【図１１】
2020008819.tif 000013
【図１２】
2020008819.tif 000014
【図１３】
2020008819.tif 000015
【図１４】
2020008819.tif 000016
【図１５】
2020008819.tif 000017
【図１６】
2020008819.tif 000018
【図１７】
2020008819.tif 000019
【図１８】
2020008819.tif 000020
【図１９】
2020008819.tif 000021
【図２０】
2020008819.tif 000022